(57)【特許請求の範囲】
【請求項１】
基礎床の床面上に複数のユニット支持脚を床パネルの形状に応じた所定のピッチで配置し、床パネルをその端縁部が上記ユニット支持脚の支持板により支持されるように架け渡して所定の高さレベルに敷設する二重床の床下地の施工に際して、断面略Ｌ字型の側方に突出する断熱材支持部を有する係止具又は断面略コ字状の掛止部の両先端部が側方に折曲されて形成された側方に突出する断熱材支持部を有する係止具を上記ユニット支持脚の側部又は上部に装着し、このユニット支持脚を基礎床の床面上に所定のピッチで配置した後、端縁部所定箇所に上記支持板の形状の一部に対応する形状の切欠き部又は凹部が形成された板状の断熱材を床パネルの下面に固定具により固定してなる断熱材付き床パネルを、上記床パネルの端縁部が対向するユニット支持脚の支持板により、また上記断熱材の端縁部がユニット支持脚に装着された係止具の上記断熱材支持部により支持されるように、かつ断熱材の上記切欠き部又は凹部がユニット支持脚の支持板と嵌め合わされるように架け渡して敷設することを特徴とする断熱二重床の施工方法。
【発明の詳細な説明】
【０００１】
【発明の属する技術分野】
本発明は、戸建住宅、集合住宅等の各種建物において既存の基礎床面との間に空間を形成して断熱二重床を施工する方法に関する。
【０００２】
【従来の技術】
二重床は、複数枚の床パネル（床板材）を、基礎床に配置した複数の支持脚によって一定の高さに支持するようにして構築されており、例えば特開平３−１７３４８号や実開平４−１１６５３７号に、棒状脚部と該棒状脚部の上端部に上下調節可能に装着された受け板とからなるユニット支持脚群と、定尺の長方形及び／又は正方形の床パネル群とを組み合わせて用いる乾式二重床の施工方法が開示されている。
従来知られているユニット支持脚の一例は図１３に示すとおりであり、ゴム、合成樹脂等の比較的硬質の弾性材料からなる接床基台１０２と該基台１０２に回動自在に立設された支持ボルト１０４とからなる棒状脚部と、外周略中央部に側方に突設された環状の支持部１０９を有するレベル調整用ナット１０８と、中央部に上記レベル調整用ナット１０８の上部が嵌合される挿入孔１１１を有する正方形又は長方形の支持板１１０とから構成されている。
【０００３】
支持ボルト１０４は、下端から上方に所定距離離間した位置外周面に側方に突出する環状の鍔部１０５が一体に設けられ、かつ鍔部１０５より上部にはネジ部が形成され、また支持ボルト１０４の頂端面には回転用工具先端を嵌め込むための溝部１０７が形成されている。そして、支持ボルト１０４の基端丸棒部１０６を上記接床基台１０２の中央孔１０３に嵌挿することにより、支持ボルト１０４は鍔部１０５を支持部として接床基台１０２に回動自在に立設された状態となる。一方、レベル調整用ナット１０８は支持板１１０の挿入孔１１１に嵌合され、その上部を拡開することによって、支持板１１０に強固に取り付けられる。それと共に、レベル調整用ナット１０８の上部には接着剤溜り１１３が形成される。このようにして支持板１１０の挿入孔１１１に嵌合されたレベル調整用ナット１０８に支持ボルト１０４のネジ部上端部をねじ込むことによって、図１３に示すようにユニット支持脚１０１が組み立てられる。
このような構造のユニット支持脚１０１は、支持ボルト１０４の頂端面の溝部１０７にドライバー等の回転用工具の先端を嵌め込んで支持ボルト１０４を回転させることにより、レベル調整用ナット１０８が上下動し、支持板１１０により支持されている床パネルの床面レベルを調整することができる。
【０００４】
以上のようにして組み立てられたユニット支持脚１０１を用いて二重床を構築する場合の施工例は、例えば図１４に示すように、まず部屋壁又は間仕切１２１の所定の高さに沿って際根太（又は根太ユニット）１２２を設け、その上に床パネル１２３の一辺を支持する。際根太に接しない床パネル１２３の他の端縁部は、所定のピッチで基礎床（コンクリートスラブ）１２０上に配置したユニット支持脚１０１に片持たせの状態で載せて取り付ける。ユニット支持脚１０１と床パネル１２３の取付は、ユニット支持脚１０１の支持板１１０上面に貼着した両面粘着シート１１２等を介して行い、床パネル敷設時に床パネル１２３を両面粘着シート１１２に圧着して仮固定しておく。ユニット支持脚１０１の支持板１１０の挿入孔１１１は床パネル１２３の端縁部から露出した状態とし、この挿入孔１１１を通してドライバー等により支持ボルト１０４を回し、床パネル１２３のレベル（又は支持板１１０の上面位）を調節する。
【０００５】
隣合う床パネルも同様に、既に設置したユニット支持脚１０１上へ床パネル１２３のレベル調整ができる所定の間隙を開けて載せ、同様に他のユニット支持脚１０１を配置して取り付ける。このような作業を床パネルごと繰り返し、床パネルを所定面積施工し、必要に応じて床面レベルを調整した後、床パネル１２３からユニット支持脚１０１の支持板１１０に対して釘打ちし、床パネル１２３をユニット支持脚１０１に固定し、また支持ボルト１０４上部の接着剤溜り１１３から接着剤を注入し、レベル調整用ナット１０８と支持ボルト１０４との間を接着・固定する。その後、必要に応じて床パネル１２３の上に捨張り合板１２４を敷設するか、あるいは隣接する床パネル間の間隙を覆うように比較的剛性のある粘着テープを貼着した後、ＣＦシート、絨毯、畳、木質フロアー材、タイルカーペット等の床仕上げ材（図示せず）を敷設し、作業を完了する。
【０００６】
【発明が解決しようとする課題】
以上説明したように施工することによって二重床が構築されるが、近年、屋内の断熱性や遮音性の改善が求められており、床にも断熱性及び遮音性を付与するために、床構造にグラスウール、押出しポリスチレンフォーム、ビーズ法ポリスチレンフォーム、発泡ウレタン等の断熱・遮音材を設けることが提案されている。例えば、本出願人も、ユニット支持脚の支持板上に根太材及び断熱材を配置し、その上に床パネルを載置する施工例を既に提案している（特開平７−３０５４４２号）。しかしながら、この方法の場合、例えばユニット支持脚上にその支持板より幅狭の根太材を配置し、根太間に断熱材を架け渡して配置した後、床パネルを敷設するものであるが、二重床の施工に根太材が必要となり、施工性や施工コストの点で難点がある。
【０００７】
一方、断熱材一体型のパネル材としては、実開平３−２５７０７号に、断熱材からなる芯材の少なくとも一側面に構造用積層材を張り合わせた耐力パネル構造が提案されている。この耐力パネル構造は、家屋の壁板に用いることを主目的としているが、床板にも採用できると教示されている。
しかしながら、根太材を用いる場合にはそれ程大きな問題は生じないと考えられるが、発泡ウレタン等の断熱材を芯材として用いたこのようなパネル材を、前記したようなユニット支持脚により支持される二重床の床パネルとして用いた場合、歩行の繰り返しや物の載置等によって長年荷重を受けることにより、例えば芯材の一側面に構造用積層材が積層された構造では、ユニット支持脚により支持される部分の発泡ウレタンの収縮が大きく、また芯材の両側面に構造用積層材を積層した構造でも全体的に発泡ウレタンが収縮し、床面の区域によって収縮率に差が生じる。そのため、隣合う床パネル間に段差が生じたり、また部分的に床面が沈み込んだり、一様な床面レベルを長年月にわたって維持できないなどの問題がある。
また、断熱性、遮音性は、床下全体に断熱・遮音材を設けることで発揮され、前記のようなユニット支持脚により床パネル端縁部を支持する構造の二重床のように隣接する床パネル間に間隙があると、その効果は著しく減少してしまう。
【０００８】
従って、本発明の目的は、断熱性及び遮音性に優れ、歩行の繰り返しや物の載置等により長年荷重を受けても隣合う床パネル間の段差の発生や床面の沈み込み等の問題がなく、一様な床面レベルを長年月にわたって維持できる二重床を簡単にかつ安定して構築できる断熱二重床の施工方法を提供することにある。
【０００９】
【課題を解決するための手段】
前記目的を達成するために、本発明によれば、基礎床の床面上に複数のユニット支持脚を床パネルの形状に応じた所定のピッチで配置し、床パネルをその端縁部が上記ユニット支持脚の支持板により支持されるように架け渡して所定の高さレベルに敷設する二重床の床下地の施工に際して、断面略Ｌ字型の側方に突出する断熱材支持部を有する係止具又は断面略コ字状の掛止部の両先端部が側方に折曲されて形成された側方に突出する断熱材支持部を有する係止具を上記ユニット支持脚の側部又は上部に装着し、このユニット支持脚を基礎床の床面上に所定のピッチで配置した後、端縁部所定箇所に上記支持板の形状の一部に対応する形状の切欠き部又は凹部が形成された板状の断熱材を床パネルの下面に固定具により固定してなる断熱材付き床パネルを、上記床パネルの端縁部が対向するユニット支持脚の支持板により、また上記断熱材の端縁部がユニット支持脚に装着された係止具の上記断熱材支持部により支持されるように、かつ断熱材の上記切欠き部又は凹部がユニット支持脚の支持板と嵌め合わされるように架け渡して敷設することを特徴とする断熱二重床の施工方法が提供される。
上記固定具としては、ワッシャー、Ｌ型金具、合木等の固定補助具と組み合わせた釘や、固定補助部と一体型の固定具、例えばステープル（断面コ字型の釘）などを用いることができる。
【００１０】
【発明の実施の形態】
本発明による断熱二重床の施工は、基本的には、前記したような複数のユニット支持脚群と床パネル群を用い、所定のピッチで基礎床面上に配置された相対するユニット支持脚の支持板間（壁又は間仕切り際においてはユニット支持脚の支持板と際根太又は根太ユニットの根太部材との間）に床パネルを架け渡して所定の高さレベルに敷設し、二重床の床下地を施工する際に、上記床パネルとして、端縁部所定箇所に上記支持板の形状の一部に対応する形状の切欠き部又は凹部が形成された断熱材を床パネルの下面に固定具により固定してなる断熱材付き床パネルを用いることを特徴としている。そして、このような断熱材付き床パネルの施工においては、上記床パネルの端縁部が対向するユニット支持脚の支持板により支持されるように、かつ、側方に突出する断熱材支持部を有する係止具をユニット支持脚の側部又は上部に上記断熱材支持部がユニット支持脚の支持板の下方所定の高さ位置で横方向に拡張するように取り付け、上記断熱材の端縁部所定箇所がユニット支持脚に装着された係止具の上記断熱材支持部により支持されるように敷設するものである。従って、断熱二重床を極めて簡単に、かつ施工性良く構築することができる。
【００１１】
前記断熱材としては、充分な耐久性や断熱性、遮音性を示すような半硬質又は硬質プラスチック発泡体であれば全て使用でき、好ましくは独立気泡型又は半独立気泡型の発泡ウレタンや、ビーズ法ポリスチレンフォーム、押出しポリスチレンフォームなどが好適に使用でき、特に強度及び遮音性の点からは発泡ウレタンが好ましい。このようなプラスチック発泡体は、かなり強い圧縮強さを有すると共に、断熱性、遮音性の他、防虫性、耐候性等にも優れ、また吸湿性が無く、長期にわたってそれらの性質はほとんど変化しない。また、軽量であり、切断、穴あけ等の加工もし易いので、取扱い性の点からも有利である。
【００１２】
このような断熱材を床パネルの下に取り付けることにより、断熱性、遮音性に優れた断熱材付き床パネルとなる。また、断熱材上面と床パネル下面との間がほぼ全体的に密接した状態にあるため、子供の飛び跳ね、重量物の落下等により床パネルに衝撃が加わっても、床パネルの振動をその下に密接して配置されている断熱材によって吸収することができ、床衝撃音の階下や隣室への伝播を効果的に防止することができる。
【００１３】
前記係止具の構造及びユニット支持脚への取付態様としては、最も簡単な一つの取付態様は、Ｌ型金具を用いる態様である。すなわち、Ｌ型金具の一方の平板部の端部をユニット支持脚の支持板に釘、ビス等で固定し、他方の平板部を断熱パネル支持部として利用する。後述するように、床面レベル調整後、床パネル部分はユニット支持脚の支持板に釘打ちにより固定されるので、断熱材の端縁部所定箇所は床パネル部分と断熱材支持部との間に挟持されることになる。
別の態様においては、前記係止具が、断面略コ字状の掛止部と、該掛止部の両先端部が横方向に折曲された形状の断熱材支持部とから成り、該断熱材支持部が下方に位置するように上記掛止部を前記支持板上に掛止する。
【００１４】
【実施例】
以下、添付図面に示す実施例を説明しつつ本発明についてさらに具体的に説明する。
図１乃至図３は、本発明の断熱材付き床パネル１において、パーティクルボード、木質繊維板、合板等からなる床パネル２の下面に、端縁部所定箇所にユニット支持脚の支持板の形状の一部に対応する形状の切欠き部（後に説明する）が形成された断熱材３を釘止めする種々の態様を示している。
図１は、断熱材側から複数箇所釘打ちし、固定補助具としてのワッシャー４を介して釘５により断熱材３を床パネル２に固定した断熱材付き床パネル１を示している。
図２は、図１に示すワッシャー４に代えて合木６を用いた実施例を示している。このような合木６は、木質材料から作製してもよく、あるいはプラスチックから断熱材３と一体成型してもよい。
【００１５】
図３は、固定補助具としてＬ型金具７を用い、一方の平板状部分を断熱材３の端縁部下面に当接した状態で、他方の平板状部分の端部を釘５により床パネル２の側端面所定箇所に固定した実施例を示している。
このようなＬ型金具７を用いる場合、ユニット支持脚の支持板が当接する部分（例えば、図４に示す実施例の切欠き部）以外の複数の端縁部分に取り付ける必要がある。
なお、前記図１乃至図３に示す固定態様を組み合わせて用いることもできる。
【００１６】
図４は本発明の断熱材付き床パネルの一実施例の平面図、図５はそのＡ−Ａ線矢視断面図を隣接する断熱材付き床パネル同士を突き合わせた状態で示している。
この断熱材付き床パネル１は、ユニット支持脚の設置位置に対応する長辺側端縁部所定箇所に支持板の略半分の形状に相当するコ字状の切欠き部８が形成された断熱材３を、床パネル２の裏面に前記した方法で固定したものである。床パネル２の寸法は断熱材３の寸法よりも若干小さく、辺縁部に段差が生じるような寸法関係になっている。従って、このような断熱材付き床パネル１同士を突き合わせて配置すると、図５に示すように、断熱材同士の端面は接触するが、隣接する床パネル間には間隙Ｗ（図６及び図８参照）が生じるので、切欠き部８においては上下方向に貫通した孔が形成される。そのため、この切欠き部８により形成された孔を通してドライバー等の回転用工具先端を挿入し、その下に設置されているユニット支持脚の支持ボルトを回し、床面レベルを調整することができる。
【００１７】
図６及び図７は、前記図４及び図５に示す断熱材付き床パネル１を用いて構築した断熱二重床の支持構造を示しており、図８はその配置形態例を示している。
ユニット支持脚１０は、接床基台１１と該接床基台に回動自在に立設された支持ボルト２０とからなる脚部材、該支持ボルトの上部に螺合されるレベル調整用ナット３０、該レベル調整用ナットが装着される支持板４０及び該支持板に固定された係止具５０とから構成されている。
【００１８】
図６を参照すると、接床基台１１はゴム、合成樹脂等の比較的硬質の弾性材料から作製されて、コンクリートスラブの基礎床１２０の床面にジャストフィットし、かつ防振の機能を果たすようにされている。接床基台１１は、大径の円形基部１２と該基部１２の略中央部に突設された受け部１３とから成り、該受け部１３には、支持ボルト２０の下端部に形成された鍔部２１を挿入するための凹部１４が形成されている。そして、上記受け部１３の凹部１４周囲の壁部内側上端縁には、内側に若干突出した係合部１５が形成されている。この係合部１５は、支持ボルト２０の鍔部２１を凹部１４内に押え、支持ボルト２０の鍔部２１が凹部１４から簡単に抜け出ないように作用する。なお、接床基台１１の下面には、遮音性をさらに向上させるために、環状、半球状、円筒状等の任意の形状の複数の突起を形成することもできる。
【００１９】
一方、金属製の支持ボルト２０は、下端部に側方に突出する環状の鍔部２１が成形されていると共に、略上半部外周面にネジ部２２が形成され、また上端部は小径部２３に形成され、その頂端面にはドライバー等の回転用工具の先端を嵌め込むためのマイナス溝２４（プラス溝や多角形凹陥部でもよい）が形成されている。
なお、支持ボルト２０は中実の支持ボルト又は中空パイプから作製された中空支持ボルトのいずれでもよい。中空支持ボルトの場合、接床基台１１の中心部に上下貫通孔を設け、あるいはさらにその下面に上記貫通孔から放射状（例えば十文字状）に延びる溝部を形成し、上方からの接着剤注入によって、接着剤が中空支持ボルト内を流下し、さらに上記溝部内に浸透し、接床基台１１を基礎床１２０に接着させるように構成することもできる。また、小径部２３を、円筒状だけでなく、その外周面及び内周面を六角状に絞り成形したり、内周面のみが六角状となるように絞り成形し、六角レンチ等の回転用工具の先端を嵌め込めるようにすることもできる。これらの場合、頂端面の溝２４は形成しても形成しなくてもよいが、形成した場合には六角レンチとドライバーの両方が使用可能となる。
【００２０】
金属製のレベル調整用ナット３０は、図６に示すように、上記支持ボルト２０のネジ部２２の径と対応する内径の内周ネジ部を有する雌ネジ部３１と、該雌ネジ部３１の内径よりも大きな内径の上部の円筒部３２とから成り、該円筒部３２の略中間部に側方に突出する環状の支持部３３が座屈成形により形成されている。また、雌ネジ部３１の内周ネジ部には、ネジ山を切断するように軸線方向に１本又は複数本の溝（図示せず）が形成されている。なお、この溝は雌ネジ部３１の内周ネジ部の上端から下方の所定位置までネジ山の一部を切断するように形成してもよく、内周ネジ部の上端から下端にかけて貫通した溝を形成してもよい。但し、レベル調整用ナット３０内に注入する接着剤のタレを防止するためには、溝の長さを内周ネジ部の上端から下端近傍までに止めて、非貫通の溝とすることが好ましい。また、レベル調整用ナット３０の溝に代えて、あるいはそれに加えて、支持ボルト２０のネジ部２２の上端部に軸線方向に溝を形成してもよい。
【００２１】
上記レベル調整用ナット３０の支持板４０への取付けは従来通りでよい。すなわち、パーティクルボード、木質繊維板、合板等から作製された正方形又は長方形の支持板４０の挿入孔４１上部は面取りされて拡開され、挿入孔４１を除く支持板４０の上面全面には粘着層４３が形成されている。上記レベル調整用ナット３０はその支持部３３が支持板４０の下面に当接するまで該支持板４０の挿入孔４１に嵌合され、次いでその上部を拡開することにより、あるいはさらに支持板挿入孔４１の面取り部４２に部分的に埋没させることによって、支持板４０に強固に取り付けられる。それと共に、レベル調整用ナット３０の上部には接着剤溜り３４が形成される。前記したように、支持ボルト２０の上端部は小径部２３に形成されているため、接着剤溜り３４がより大きな空間となり、接着剤注入作業が容易となる。また、図６に示すように、レベル調整用ナット３０の円筒部３２の内径を雌ネジ部３１の内径よりも大きくすることにより、注入した接着剤が支持ボルト２０のネジ部２２とレベル調整用ナット３０の雌ネジ部３１の螺合部にスムーズに浸透し易くなるので好ましい。
【００２２】
一方、係止具５０は、Ｌ型金具からなり、ユニット支持脚１の支持板４０の両側端面にそれぞれ一方の平板部５２の端部を釘５３又はビスでそれぞれ固定されており、他方の平板部が断熱材支持部５１として機能する。この際、支持板４０表面から断熱材支持部５１までの距離は、断熱材３の厚さに合わせる。また、係止具５０の幅は、支持板４０の幅以下の任意のサイズとすることができる。
【００２３】
前記したような断熱材付き床パネル１及びユニット支持脚１０を用いて断熱二重床を施工する場合、従来の施工方法と同様に行うことができる。すなわち、基礎床１２０の床面上に所定のピッチＰで配置（又は接着）された相対するユニット支持脚１０の支持板４０間に、断熱材３の切欠き部８を各々対応する支持板４０に嵌め合わせるように該部分の床パネル２端縁部分を載置し、支持板４０上面の粘着層４３により仮固定しておく。このとき、断熱材３の切欠き部８内側の端縁部は係止具５０の断熱材支持部５１により支持された状態となる。この際、断熱材３の切欠き部８は支持板４０の位置決めガイドとして働くので、ユニット支持脚１０の設置位置のピッチがずれることはない。また、隣接する床パネル２間には隙間Ｗが形成されるので、その間からドライバー等の回転用工具先端を挿入して支持ボルトを回し、床面レベルを調整することができる。
なお、壁際に設置する際根太又は根太ユニットの根太部材にも、前記したＬ型金具等の適当な係止具を取り付けておくことが好ましい。
【００２４】
図８に示すように所定面積だけ断熱材付き床パネル１を敷設した後、従来と同様に床面レベルの調整を行った後、床パネル２の部分をユニット支持脚１０の支持板４０に対して釘打ち、ビス止め等（図示せず）により固定し、接着剤溜り３４（図６参照）から接着剤を注入してレベル調整用ナット３０と支持ボルト２０を接着・固定する。その後必要に応じて、隣接する床パネル２間の間隙Ｗを覆うように比較的に剛性のある粘着テープを粘着するか、あるいは敷設した床全面にベニヤ板、木質繊維板等の捨張り材、制振・遮音性シート、面状ヒーター等を敷設した後、合成樹脂製クッションシート、絨毯、畳、タイルカーペット、フローリング（突板張り合板）、木質系化粧板等の床仕上げ材を施工する。
【００２５】
図９は、別の係止具を用いた断熱二重床施工の実施例を示し、係止具を除くユニット支持脚１０の構成は図６に示すものと同様である。
この実施例の係止具５０ａは、断面略コ字状の細長い掛止部５４の両先端部が側方に折曲されて断熱材支持部５１ａが形成された形状を有する。上記掛止部５４の中心部には、レベル調整用ナット３０の外径と略等しい直径の孔５６（図１０参照）が穿設されている。また、断熱材支持部５１ａの折曲度は、図９に示すように、上記掛止部５４を支持板４０に引っ掛けて係止具５０ａをユニット支持脚１０に取り付けたときに、垂下している断熱材支持部５１ａの先端がやや斜め上方に向くように若干鋭角となっている。従って、上記断熱材支持部５１ａに断熱材付き床パネル１の断熱材３の切欠き部８内側端縁部を載置したときにやや撓み、その上の床パネル２の下面に断熱材３の端縁部を弾力的に押圧する。
【００２６】
前記図９に示す係止具５０ａと図４に示す断熱材付き床パネル１を用いる場合、図１０に示すように、隣接する床パネル２の長辺側端縁と交叉するように、かつ掛止部５４の孔５６がレベル調整用ナット３０と整合するように係止具５０ａをユニット支持脚１０の支持板４０に取り付ける。そして、断熱材３の切欠き部８を支持板４０に嵌め合わせながら係止具５０ａの上に断熱材付き床パネル１を載置する。
従って、前記図６〜８及び図９、１０の施工例の場合には、ユニット支持脚１０の支持板４０の部分を除く床面全面に断熱材３が敷設されることになる。また、係止具５０、５０ａの構成が簡単で極めて安価に作製できるという利点がある。なお、支持板４０の上面の粘着層４３は、係止具５０ａの掛止部５４が載置される部分以外の表面に設け、粘着層４３と係止部５４の表面がほぼ同一面となるようにすることが、その上に載置される床パネル２の安定性の点からは好ましい。
【００２７】
図１１は、図９及び図１０に示す係止具の変形例を示している。この係止具５０ｂの場合、全体的な形状は前記係止具５０ａと類似しているが、掛止部５４ｂの中心部に孔が形成されていない点において異なる。そのため、図１１に示すように、支持ボルト頂端面のマイナス溝２４が露出するように掛止部５４ｂの位置をずらして支持板４０に掛止する。このような係止具５０ｂは、図１１に二点鎖線で示すように２本を平行に配列して用いることもできる。
【００２８】
図１２は、さらに別の形状の係止具５０ｃを示している。この係止具５０ｃの場合、掛止部５４の形状は図９及び図１０に示すものと同様であるが、両端の断熱材支持部５１ｃが長手方向と直交する両側方向に拡張されている点において異なる。この係止具５０ｃは、図１２に示すように、隣接する床パネル２の長辺側端縁に沿って掛止部５４を支持板４０上に掛止する。なお、この係止具５０ｃの場合、支持板４０の挿入孔４１を除く全面に形成された粘着層４３を利用して、その表面から突出するように掛止部５４を接着・固定し、この突出した掛止部５４を断熱材付き床パネル敷設時の床パネル２の案内部として利用することもできる。
【００２９】
以上、本発明の好適な実施例について説明したが、本発明は、簡単な固定態様で板状の断熱材を床パネルに取り付けた断熱材付き床パネルを、ユニット支持脚上に係止具を用い、簡便に敷設することをその本質的な特徴としており、前記実施例に限定されるものではなく、各種の設計変更が可能である。例えば、前記実施例の断熱材の切欠き部に代えて、表面（床パネルの裏面）部分に断熱材の一部が残った状態の凹部とすることもできる。その他、前記係止具としては他の適当な係止具を用いることもできるし、また、ユニット支持脚や断熱材としても従来公知の各種のものを使用することができ、さらに断熱材の切欠きの形状等も使用するユニット支持脚の支持板の形状に応じて任意に変えることができる。
【００３０】
【発明の効果】
以上のように、本発明で用いる断熱材付き床パネルは、その構造、組立が簡単であり、安価に作製することができ、しかもユニット支持脚への取付けも極めて簡単である。また、二重床の床下地を施工する際に、本発明の断熱材付き床パネルを用い、その断熱材の切欠き部又は凹部がユニット支持脚の支持板に嵌め合わされるように支持板間に架け渡して敷設するものであるため、断熱材付き床パネルの設置を極めて簡単に、かつ施工性良く行うことができる。
さらに、本発明の断熱二重床の施工方法によれば、従来のユニット支持脚と床パネルの組み合わせによる二重床の施工方法の利点、即ち、施工性、安定性、低施工コスト等の利点をそのまま保持して、断熱・保温性や遮音性に優れた断熱二重床を施工性良く構築でき、また、歩行の繰り返しや物の載置等によって長年荷重を受けても、隣合う床パネル間に段差が発生したり、床面の沈み込み等の問題がなく、一様な床面レベルを長年月にわたって維持できる。
【図面の簡単な説明】
【図１】  本発明の断熱材付き床パネルの断熱材と床パネルの固定態様の一実施例を示す部分断面図である。
【図２】  本発明の断熱材付き床パネルの断熱材と床パネルの固定態様の他の実施例を示す部分断面図である。
【図３】  本発明の断熱材付き床パネルの断熱材と床パネルの固定態様のさらに他の実施例を示す部分断面図である。
【図４】  本発明の断熱材付き床パネルの一実施例を示す平面図である。
【図５】  図４に示す断熱材付き床パネルを端縁部の重なり状態と共に示す図４のＡ−Ａ線矢視断面図である。
【図６】  係止具を装着したユニット支持脚を用いて図４に示す断熱材付き床パネルを敷設した状態を示す部分縦断側面図である。
【図７】  図６のユニット支持脚による支持部分を示す部分斜視図である。
【図８】  図６に示す実施例のユニット支持脚及び断熱材付き床パネルの配置形態を示す部分平面図である。
【図９】  係止具を装着したユニット支持脚を用いて断熱材付き床パネルを敷設した状態を示す部分断面側面図である。
【図１０】  図９に示す係止具と断熱材付き床パネルの取付態様を示す部分平面図である。
【図１１】  他の実施例の係止具と断熱材付き床パネルの取付態様を示す部分平面図である。
【図１２】  さらに他の実施例の係止具と断熱材付き床パネルの取付態様を示す部分平面図である。
【図１３】  従来のユニット支持脚の一例を示す部分断面側面図である。
【図１４】  従来のユニット支持脚を用いて床パネルまで施工した状態を示す破断斜視図である。
【符号の説明】
１  断熱材付き床パネル
２，１２３  床パネル
３  断熱材
４  ワッシャー
５，５３  釘
６  合木
７  Ｌ型金具
８  切欠き部
１０，１０１  ユニット支持脚
１１，１０２  接床基台
２０，１０４  支持ボルト
３０，１０８  レベル調整用ナット
４０，１１０  支持板
５０，５０ａ，５０ｂ，５０ｃ  係止具
５１，５１ａ，５１ｂ，５１ｃ  断熱材支持部
５４，５４ｂ  掛止部
１２０  基礎床
【図１】
0003790615.tif 000002
【図２】
0003790615.tif 000003
【図３】
0003790615.tif 000004
【図４】
0003790615.tif 000005
【図５】
0003790615.tif 000006
【図６】
0003790615.tif 000007
【図７】
0003790615.tif 000008
【図８】
0003790615.tif 000009
【図９】
0003790615.tif 000010
【図１０】
0003790615.tif 000011
【図１１】
0003790615.tif 000012
【図１２】
0003790615.tif 000013
【図１３】
0003790615.tif 000014
【図１４】
0003790615.tif 000015